(57)【要約】【課題】印刷開始までに要する時間を削減することができる画像処理装置を提供することである。【解決手段】実施形態の画像処理装置は、人感センサと、定着器と、制御部とを持つ。人感センサは、自装置の周囲の人物を検知する。定着器は、加熱により消色される色剤を含む記録剤である消色性記録剤により形成された画像の媒体に対する定着と、前記媒体に形成された画像の消色とを行う。制御部は、前記画像の消色中に前記人感センサによって前記人物が検知された場合、前記画像の消色を停止するように前記定着部を制御する。【選択図】図３
2017097112.tif 000002
【特許請求の範囲】
【請求項１】
自装置の周囲の人物を検知する人感センサと、
加熱により消色される色剤を含む記録剤である消色性記録剤により形成された画像の媒体に対する定着と、前記媒体に形成された画像の消色とを行う定着部と、
前記画像の消色中に前記人感センサによって前記人物が検知された場合、前記画像の消色を停止するように前記定着部を制御する制御部と、
を備える画像処理装置。
【請求項２】
前記制御部は、前記人感センサによって第１の時間の間、前記人物が検知されなかった場合に前記定着部を制御して前記画像の消色を行う、請求項１に記載の画像処理装置。
【請求項３】
前記制御部は、前記人感センサによって第２の時間の間、前記人物が検知された場合に前記画像の消色を停止するように前記定着部を制御する、請求項１に記載の画像処理装置。
【請求項４】
前記制御部は、前記画像の消色を停止した後、印刷が行なえるように自装置を制御する、請求項１に記載の画像処理装置。
【請求項５】
前記制御部は、自装置の制御として前記定着部の温度制御及び消色が行われていた媒体を排出させる制御を行う、請求項４に記載の画像処理装置。
【発明の詳細な説明】
【技術分野】
【０００１】
本発明の実施形態は、画像処理装置に関する。
【背景技術】
【０００２】
従来、加熱により消色される色剤を含む記録剤（以下、「消色性記録剤」という。）で印刷した用紙の消色を行うことができる画像形成装置が知られている。例えば、画像形成装置は、ＭＦＰ（Multi Function Peripheral）などの複合機である。しかしながら、上記の画像形成装置では、ユーザが印刷を行う際に消色処理が実行されている場合も考えられる。このような場合、ユーザは消色処理が終わるまで待たなければならないため、印刷開始までに時間を要してしまう場合があった。
【先行技術文献】
【特許文献】
【０００３】
【特許文献１】特開２０１５−５２６３９号公報
【発明の概要】
【発明が解決しようとする課題】
【０００４】
本発明が解決しようとする課題は、印刷開始までに要する時間を削減することができる画像処理装置を提供することである。
【課題を解決するための手段】
【０００５】
実施形態の画像処理装置は、人感センサと、定着器と、制御部とを持つ。人感センサは、自装置の周囲の人物を検知する。定着器は、加熱により消色される色剤を含む記録剤である消色性記録剤により形成された画像の媒体に対する定着と、前記媒体に形成された画像の消色とを行う。制御部は、前記画像の消色中に前記人感センサによって前記人物が検知された場合、前記画像の消色を停止するように前記定着部を制御する。
【図面の簡単な説明】
【０００６】
【図１】実施形態の画像処理装置の断面図。
【図２】画像処理装置の機能ブロックの構成を示す概略ブロック図。
【図３】プリンタ部が備える定着部の構成例を示す概略図。
【図４】画像処理装置１００の消色処理開始までの流れを示すフローチャート。
【図５】画像処理装置１００の処理の流れを示すフローチャート。
【図６】画像処理装置の消色処理中の別の処理の流れを示すフローチャート。
【発明を実施するための形態】
【０００７】
以下、実施形態の画像処理装置を、図面を参照して説明する。
図１は、実施形態の画像処理装置１００の断面図である。
実施形態の画像処理装置１００は、画像形成処理及び消色処理を実行することができる。画像形成処理は、シート上に画像を形成する処理である。消色処理は、シート上に形成された画像を消色する処理である。本実施形態における消色とは、シートの下地の色とは異なる色（有彩色のみならず白色及び黒色等の無彩色を含む。）で形成された画像を視覚的に見えなくすることを意味する。画像処理装置１００は、例えば複合機等の画像形成装置である。シートは、例えば原稿や、文字や画像などが記載された紙などである。シートは、画像処理装置１００が読み取ることができる物であればどのような物であってもよい。画像処理装置１００は、シート上に表れている画像を読み取ってデジタルデータを生成し、画像ファイルを生成する。
【０００８】
画像処理装置１００は、ディスプレイ１１０、コントロールパネル１２０、プリンタ部１３０、シート収容部１４０、画像読取部２００、人感センサ２５０及び制御部３００を備える。なお、画像処理装置１００のプリンタ部１３０は、トナー像を定着させる装置であってもよいし、インクジェット式の装置であってもよい。本実施形態では、プリンタ部１３０は、トナー像を定着させる装置である場合を例に説明する。
ディスプレイ１１０は、液晶ディスプレイ、有機ＥＬ（Electro Luminescence）ディスプレイ等の画像表示装置である。ディスプレイ１１０は、画像処理装置１００に関する種々の情報を表示する。
【０００９】
コントロールパネル１２０は、複数のボタンを有する。コントロールパネル１２０は、ユーザの操作を受け付ける。コントロールパネル１２０は、ユーザによって行われた操作に応じた信号を、画像処理装置１００の制御部に出力する。なお、ディスプレイ１１０とコントロールパネル１２０とは一体のタッチパネルとして構成されてもよい。
プリンタ部１３０は、画像形成処理及び消色処理を実行する。画像形成処理では、プリンタ部１３０は、画像読取部２００によって生成された画像情報又は通信路を介して受信された画像情報に基づいて、シート上に画像を形成する。消色処理では、プリンタ部１３０は、シートを加熱することによって、画像形成処理でシート上に形成された画像を消色する。
【００１０】
シート収容部１４０は、複数のカセット１４０Ａ及び１４０Ｂを有する。例えば、カセット１４０Ａには、画像形成に用いられるシート（以下、「画像形成用シート」という。）が収容される。例えば、カセット１４０Ｂには、消色処理に用いられるシート（以下、「消色対象シート」という。）が収容される。カセット１４０Ａは、ピックアップローラ１４１Ａを備える。カセット１４０Ｂは、ピックアップローラ１４１Ｂを備える。各ピックアップローラ１４１Ａ及び１４１Ｂは、各カセット１４０Ａ及び１４０Ｂからシートを１枚ずつ取り出す。ピックアップローラ１４１Ａ及び１４１Ｂは、取り出したシートを搬送路１４２へ供給する。なお、以下の説明では、画像形成用シートが収容されるカセット（例えば、カセット１４０Ａ）を画像形成用カセットと記載し、消色対象シートが収容されるカセット（例えば、カセット１４０Ｂ）を消色用カセットと記載する。なお、シート収容部１４０における画像形成用カセット及び消色用カセットの割り当ては適宜設定される。
【００１１】
搬送路１４２には、給紙ローラ１４３Ａ、給紙ローラ１４３Ｂ、レジストローラ１４４−１、レジストローラ１４４−２及び排紙ローラ１４５が備えられる。給紙ローラ１４３Ａは、ピックアップローラ１４１Ａによって供給されるシートをレジストローラ１４４−１へ搬送する。給紙ローラ１４３Ｂは、ピックアップローラ１４１Ｂによって供給されるシートをレジストローラ１４４−２へ搬送する。レジストローラ１４４−１及び１４４−２は、後述するプリンタ部１３０の転写部がトナー像をシートの表面上に転写するタイミングに応じて、シートを転写部側へ搬送する。排紙ローラ１４５は、プリンタ部１３０によって処理が実行されたシートを排紙する。
【００１２】
図１に示すように、画像形成処理が実行されたシートが搬送される搬送路１４２と、消色処理が実行されたシートが搬送される搬送路１４２とは同じである。つまり、画像処理装置１００は、同時に画像形成処理及び消色処理を行うことができない。
【００１３】
画像読取部２００は、読み取り対象の画像情報を光の明暗として読み取る。画像読取部２００は、読み取られた画像情報を記録する。記録された画像情報は、ネットワークを介して他の情報処理装置に送信されてもよい。記録された画像情報は、プリンタ部１３０によってシート上に画像形成されてもよい。
人感センサ２５０は、自装置の周囲の人物を検知する。人感センサ２５０は、自装置の周囲の人物を検知可能な位置であればどのような位置に設置されてもよい。なお、人感センサ２５０の検知範囲は任意に設定される。人感センサ２５０は、検知結果を画像処理装置１００が備える制御部に出力する。
制御部３００は、画像処理装置１００を制御する。制御部３００の具体的な処理について後述する。
【００１４】
図２は、画像処理装置１００の機能ブロックの構成を示す概略ブロック図である。
図２に示すディスプレイ１１０、コントロールパネル１２０、画像読取部２００及び人感センサ２５０については、上記の説明と同様の説明になるため省略する。以下、プリンタ部１３０、制御部３００、ＲＯＭ３１０及びＤＲＡＭ３２０について説明する。なお、各機能部は、システムバス３３０を介してデータ通信可能に接続されている。
【００１５】
プリンタ部１３０は、搬送部２０、画像形成部３０、転写部４０及び定着部５０を備える。プリンタ部１３０が実行する画像形成処理は、例えば以下のように行われる。搬送部２０は、制御部３００の制御に従って、シート収容部１４０の画像形成用カセットから画像形成用シートを取り出す。搬送部２０は、取り出された画像形成用シートを転写部４０及び定着部５０へ搬送する。画像形成部３０は、画像情報に基づいて感光体ドラム上に静電潜像を形成する。画像形成部３０は、静電潜像に現像剤を付着させることによって可視像を形成する。現像剤の具体例として、トナーがある。なお、本実施形態におけるトナーは、消色性記録剤である。転写部４０は、可視像を画像形成用シート上に転写する。定着部５０は、画像形成用シートに対して加熱及び加圧を行うことによって、可視像を画像形成用シート上に定着させる。なお、画像が形成される画像形成用シートは、手指しされた画像形成用シートであってもよい。
【００１６】
プリンタ部１３０が実行する消色処理は、例えば以下のように行われる。搬送部２０は、シート収容部１４０の消色用カセットから消色対象シートを取り出す。搬送部２０は、取り出された消色対象シートを定着部５０へ搬送する。定着部５０は、消色対象シートに対して加熱及び加圧を行うことによって、画像を消色する。定着部５０は、画像形成処理が実行される際の温度よりも高い温度で消色対象シートを加熱することによって画像を消色する。
【００１７】
制御部３００は、システムバス３３０を介して接続される各機能部を制御する。以下、制御部３００の具体的な処理について説明する。制御部３００は、画像の消色中に人感センサ２５０によって人物が検知された場合、画像の消色を停止するように定着部５０を制御する。制御部３００は、人感センサ２５０によって第１の時間の間、人物が検知されなかった場合に定着部５０を制御して画像の消色を行う。制御部３００は、画像の消色を停止した後、印刷が行なえるように自装置を制御する。制御部３００は、自装置の制御として定着部５０の温度制御及び消色が行われていた消色対象シートを排出させる制御を行う。
ＲＯＭ３１０は、制御部３００が動作するために必要な種々の制御プログラムを記憶する。ＲＯＭ３１０は、例えば画像形成処理及び消色処理を制御するためのプログラムを記憶する。
ＤＲＡＭ３２０は、制御部３００がプログラムを実行する際に、データの一時的な記憶領域として利用される。
【００１８】
図３は、プリンタ部１３０が備える定着部５０の構成例を示す概略図である。定着部５０は、ヒートローラ５０１、ＨＲランプ５０２、ＨＲサーミスタ５０３、加圧ベルト５１０、加圧パッド５１１、パッドホルダー５１２、加圧ローラ５１３、テンションローラ５１４、ベルトヒートローラ５１５、加圧ベルトランプ５１６、加圧サーミスタ５１７及び冷却部５２０を備える。
【００１９】
ヒートローラ５０１は、円筒状に形成された定着部材である。
ＨＲランプ５０２は、ヒートローラ５０１の内部に設けられる。ヒートローラ５０１は、ＨＲランプ５０２が発熱することによって加熱される。例えば、ＨＲランプ５０２は、画像形成処理が実行される際にはヒートローラを１００度に加熱する。例えば、ＨＲランプ５０２は、消色処理が実行される際にはヒートローラを１３０度に加熱する。なお、ＨＲランプ５０２の温度は、制御部３００によって制御される。
ＨＲサーミスタ５０３は、ヒートローラ５０１の表面温度を計測する。
【００２０】
加圧ベルト５１０は、加圧ローラ５１３、テンションローラ５１４及びベルトヒートローラ５１５によって保持される。加圧ベルト５１０は、加圧パッド５１１及び加圧ローラ５１３によってヒートローラ５０１に加圧接触される。この加圧接触によって、加圧ベルト５１０とヒートローラ５０１との間に定着ニップ部が形成される。
加圧パッド５１１は、加圧ベルト５１０を介してヒートローラ５０１に加圧接触した状態で保持される。パッドホルダー５１２は、加圧パッド５１１をヒートローラ５０１に加圧接触した状態で保持する。
【００２１】
加圧ローラ５１３は、シートの搬送方向の下流に配置される。加圧ローラ５１３は、加圧ベルト５１０をヒートローラ５０１に加圧接触させる。加圧ローラ５１３によって、定着ニップ部の出口が形成される。
テンションローラ５１４は、加圧ローラ５１３及びベルトヒートローラ５１５から離れた位置に配置されることによって、加圧ベルト５１０に対し張力を付与する。
ベルトヒートローラ５１５は、シートの搬送方向の上流に配置される。ベルトヒートローラ５１５は、中空の円筒形状に形成される。
【００２２】
加圧ベルトランプ５１６は、ベルトヒートローラ５１５の内部に設けられる。ベルトヒートローラ５１５は、加圧ベルトランプ５１６が発熱することによって加熱される。加圧ベルトランプ５１６は、例えばハロゲンランプを用いて構成される。
加圧サーミスタ５１７は、ベルトヒートローラ５１５付近の加圧ベルト５１０の表面温度を計測する。
冷却部５２０は、ヒートローラ５０１を冷却する。ヒートローラ５０１が冷却部５２０によって冷却されることにより、冷却されない場合に比べて、その表面温度はより早く低い温度に達する。冷却部５２０は、ヒートローラ５０１を冷却可能であればどのような構成であってもよい。冷却部５２０は、例えばモーターによって回転されるファンによってヒートローラ５０１に対して送風する送風機であってもよい。
【００２３】
図４は、画像処理装置１００の処理の流れを示すフローチャートである。なお、図４の処理は、例えば、消色対象トレイに一定の枚数がたまったタイミングや、予め設定された時刻になったタイミングで実行される。また、図４の処理は、消色処理が行なわれていないタイミングであれば上記以外のタイミングで実行されてもよい。
【００２４】
制御部３００は、人感センサ２５０によって人物が検知されたか否か判定する（ＡＣＴ１０１）。人感センサ２５０によって人物が検知されたか否かの判定は、人感センサ２５０からの出力があったか否かで行われる。人感センサ２５０からの出力があった場合、制御部３００は人感センサ２５０によって人物が検知されたと判定する。一方、人感センサ２５０からの出力がなかった場合、制御部３００は人感センサ２５０によって人物が検知されていないと判定する。人感センサ２５０によって人物が検知された場合（ＡＣＴ１０１：ＹＥＳ）、画像処理装置１００は図４の処理を終了する。
【００２５】
一方、人感センサ２５０によって人物が検知されなかった場合（ＡＣＴ１０１：ＮＯ）、制御部３００は第１の時間経過したか否か判定する（ＡＣＴ１０２）。より具体的には、制御部３００は、図４の処理開始後において最初に人物が検知されなかった時刻から第１の時間経過したか否か判定する。第１の時間経過していない場合（ＡＣＴ１０２：ＮＯ）、画像処理装置１００はＡＣＴ１０１以降の処理を繰り返し実行する。
一方、第１の時間経過した場合（ＡＣＴ１０２：ＹＥＳ）、画像処理装置１００は消色処理を開始する（ＡＣＴ１０３）。制御部３００は、定着部５０を制御して消色処理を実行する（ＡＣＴ１０４）。例えば、制御部３００は、消色処理を実行する場合には、ヒートローラ５０１の温度を上昇させる。ヒートローラ５０１の温度は、消色処理が行われるために必要な温度（例えば１３０度）まで上昇される。
【００２６】
その後、制御部３００は、消色対象シートがあるか否か判定する（ＡＣＴ１０５）。消色用カセットに消色対象シートがない場合、制御部３００は消色対象シートがないと判定する。一方、消色用カセットに消色対象シートがある場合、制御部３００は消色対象シートがあると判定する。消色対象シートがない場合（ＡＣＴ１０５：ＮＯ）、画像処理装置１００は処理を終了する。
一方、消色対象シートがある場合（ＡＣＴ１０５：ＹＥＳ）、制御部３００はＡＣＴ１０４以降の処理を繰り返し実行する。
【００２７】
図５は、画像処理装置１００の消色処理（ＡＣＴ１０４）中の処理の流れを示すフローチャートである。なお、図５の処理は、例えば、消色処理が開始されたタイミングや、消色動作が開始されてから所定の時間が経過する度に実行される。また、図５の処理は、消色処理中であれば上記以外のタイミングで実行されてもよい。
【００２８】
制御部３００は、人感センサ２５０によって人物が検知されたか否か判定する（ＡＣＴ２０１）。人感センサ２５０によって人物が検知された場合（ＡＣＴ２０１：ＹＥＳ）、制御部３００は消色処理を停止するように定着部５０を制御する（ＡＣＴ２０２）。具体的には、制御部３００は、ＨＲランプ５０２を停止することによって、ヒートローラ５０１の加熱を停止する。なお、制御部３００は、ＨＲランプ５０２を停止させず、ＨＲランプ５０２に供給される電力を低くすることによって消色処理を停止させてもよい。
【００２９】
その後、制御部３００は、印刷が行なえるように自装置を制御する（ＡＣＴ２０３）。具体的には、制御部３００は、搬送部２０を制御して、消色が行われていた消色対象シートを排出する。また、制御部３００は、冷却部５２０を制御して定着部５０に対して冷却処理を行う。制御部３００は、以下のように冷却処理を実行する。まず制御部３００は、冷却部５２０を稼働させる。このような処理によって、ヒートローラ５０１の表面温度が低下する。制御部３００は、ＨＲサーミスタ５０３の出力に基づいて、ヒートローラ５０１の表面温度を取得する。制御部３００は、ヒートローラ５０１の表面温度が所定の閾値以下まで下がると、冷却処理を終える。表面温度の所定の閾値は、例えば画像形成処理が行われる際にヒートローラ５０１が加熱される目標となる温度（例えば１００度）である。
また、ＡＣＴ２０１の処理において、人感センサ２５０によって人物が検知されなかった場合（ＡＣＴ２０１：ＮＯ）、画像処理装置１００は消色処理を継続する。
【００３０】
以上のように構成された画像処理装置１００によれば、印刷開始までに要する時間を削減することが可能となる。以下、この効果について詳細に説明する。
画像処理装置１００は、消色処理中に人感センサ２５０によって人物が検知されると、現在行っている消色処理を停止する。これにより、ユーザが印刷を行う際には消色処理が行なわれていない。したがって、ユーザは、画像処理装置１００を操作してすぐに印刷を行うことができる。このように、画像処理装置１００は、印刷開始までに要する時間を削減することが可能になる。
【００３１】
また、制御部３００は、人感センサ２５０によって第１の時間の間、人物が検知されなかった場合に定着部５０を制御して消色処理を行う。人物が一定時間の間、検知されないということは、画像処理装置１００の周囲に人物がいない可能性が高い。したがって、画像処理装置１００は、第１の時間の間、人物が検知されなかった場合に消色処理を実行することによって消色処理を停止しなくて済む。そのため、停止により同じシートに対して何度も消色処理を行うことによって生じる処理負荷を低減することが可能になる。
【００３２】
また、制御部３００は、画像の消色を停止した後、印刷が行なえるように自装置を制御する。画像の消色を停止したということは、人感センサ２５０によって人物が検知された場合が考えられる。つまり、人物が、画像処理装置１００の周囲にいることが考えられる。したがって、制御部３００が、画像の消色を停止した後に印刷が行なえるように自装置を制御することによって、ユーザがすぐに印刷を開始することができる。このように、印刷開始までに要する時間を削減することが可能になる。
【００３３】
また、制御部３００は、自装置の制御として定着部５０の温度制御及び消色が行われていた用紙を排出させる制御を行う。具体的には、制御部３００は、冷却部５２０を制御して定着部５０の温度を印刷に適した温度まで下げる。これにより、ユーザが印刷を行う際に温度調整に要する時間を削減することができる。また、制御部３００は、消色が行われていたシートを一度排出させる。これにより、消色が停止されたシートが画像処理装置１００内に残ることが無い。したがって、印刷時にユーザが印刷したシートと、消色が行われていたシートとが一緒に排出されることがない。そのため、ユーザが、消色が行われていたシートを間違えて持って行ってしまうのを軽減することができる。
【００３４】
以下、画像処理装置１００の変形例について説明する。
本実施形態では、消色処理中に人感センサ２５０によって人物が検知された場合に消色処理を停止する構成を示したが、画像処理装置１００は以下のように動作してもよい。例えば、画像処理装置１００は、消色処理中に人感センサ２５０によって第２の時間の間、人物が検知された場合に消色処理を停止するように定着部５０を制御する。図６は、画像処理装置１００の消色処理中の別の処理の流れを示すフローチャートである。図５と同様の処理については、図６において図５と同様の符号を付して説明を省略する。
ＡＣＴ２０１の処理において、人物が検知された場合（ＡＣＴ２０１：ＹＥＳ）、制御部３００は第２の時間経過したか否か判定する（ＡＣＴ３０１）。より具体的には、制御部３００は、図５の処理開始後において最初に人物が検知された時刻から第２の時間経過したか否か判定する。第２の時間経過していない場合（ＡＣＴ３０１：ＮＯ）、画像処理装置１００はＡＣＴ２０１以降の処理を繰り返し実行する。
一方、第２の時間経過した場合（ＡＣＴ３０１：ＹＥＳ）、画像処理装置１００はＡＣＴ２０２以降の処理を実行する。
【００３５】
以上のように構成されることによって、画像処理装置１００の処理負荷を軽減することができる。具体的には、制御部３００は、人物が検知される度に、消色処理を停止して印刷が可能な状態に制御する。つまり、印刷目的でない人物が画像処理装置１００の前を通過するだけでも人物が検知されると、制御が行われる。したがって、印刷目的でない人物が何度も画像処理装置１００の前を通過する度に画像処理装置１００の処理負荷が増加してしまう。それに対して、図６のように構成されることによって、画像処理装置１００は人物が検知される度に消色処理を停止して印刷が可能な状態に制御することが無くなる。そのため、画像処理装置１００の処理負荷を軽減することができる。
【００３６】
画像処理装置１００にシートの排出先が複数設けられている場合、制御部３００は以下のような処理を行ってもよい。この場合、制御部３００は、消色対象シートと、画像形成用シートとを異なる排出先に排出させる。
制御部３００は、消色処理の停止後の自装置の制御として、上記の制御の他に以下の用のような制御を行ってもよい。例えば、制御部３００は、ディスプレイ１１０上に印刷を行うための画面を表示させてもよい。
画像処理装置１００は、定着用の定着部と消色用の定着部の２つの定着部を備えるように構成されてもよい。
【００３７】
また、上述した実施形態における画像処理装置１００の一部の機能をコンピュータで実現するようにしてもよい。その場合、この機能を実現するためのプログラムをコンピュータ読み取り可能な記録媒体に記録する。そして、上述したプログラムを記録した記録媒体に記録されたプログラムをコンピュータシステムに読み込ませ、実行することによって実現してもよい。なお、ここでいう「コンピュータシステム」とは、オペレーティングシステムや周辺機器等のハードウェアを含むものとする。また、「コンピュータ読み取り可能な記録媒体」とは、可搬媒体や記憶装置等のことをいう。可搬媒体は、フレキシブルディスク、光磁気ディスク、ＲＯＭ、ＣＤ−ＲＯＭ等である。また、記憶装置は、コンピュータシステムに内蔵されるハードディスク等である。
【００３８】
さらに「コンピュータ読み取り可能な記録媒体」とは、通信回線を介してプログラムを送信する場合の通信線のように、短時間の間、動的にプログラムを保持するものである。通信回線は、インターネット等のネットワークや電話回線等である。また、「コンピュータ読み取り可能な記録媒体」は、サーバやクライアントとなるコンピュータシステム内部の揮発性メモリであってもよい。揮発性メモリは、一定時間プログラムを保持しているものである。また上記プログラムは、前述した機能の一部を実現するためのものであってもよい。また上記プログラムは、さらに前述した機能をコンピュータシステムにすでに記録されているプログラムとの組み合わせで実現できるものであってもよい。
【００３９】
以上説明した少なくともひとつの実施形態によれば、画像処理装置１００は、人感センサ２５０と、定着部５０と、制御部３００とを持つ。人感センサ２５０は、自装置（画像処理装置１００）の周囲の人物を検知する。定着部５０は、消色性記録剤により形成された画像のシートに対する定着と、シートに形成された画像の消色とを行う。制御部３００は、画像の消色中に人感センサ２５０によって人物が検知された場合、画像の消色を停止するように定着部５０を制御する。画像処理装置１００は、以上の各機能部を持つことにより、印刷開始までに要する時間を削減することができる。
【００４０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４１】
２０…搬送部，３０…画像形成部，４０…転写部，５０…定着部，１００…画像処理装置，１１０…ディスプレイ，１２０…コントロールパネル，１３０…プリンタ部，１４０…シート収容部，２００…画像読取部，２５０…人感センサ，３００…制御部，３１０…ＲＯＭ，３２０…ＤＲＡＭ，５０１…ヒートローラ，５０２…ＨＲランプ，５０３…ＨＲサーミスタ，５１０…加圧ベルト，５１１…加圧パッド，５１２…パッドホルダー，５１３…加圧ローラ，５１４…テンションローラ，５１５…ベルトヒートローラ，５１６…加圧ベルトランプ，５１７…加圧サーミスタ，５２０…冷却部
【図１】
2017097112.tif 000003
【図２】
2017097112.tif 000004
【図３】
2017097112.tif 000005
【図４】
2017097112.tif 000006
【図５】
2017097112.tif 000007
【図６】
2017097112.tif 000008